(57)【要約】【課題】消臭成分を、長期間均一に空間に放出することを目的とする。【解決手段】基材１と消臭剤２とコーティング剤３からなる。前記基材１に含浸または塗布された前記消臭剤２の全体を覆うように有機物のコーティング剤３を塗布する。上記構成において、消臭剤２より除法されたの消臭成分は、コーティング剤３の網目構造の間よりじょじょに放出される。またコーティング剤は椰子油などの有機物なので、空気と接触することにより徐々に酸化劣化をおこし、表面より少しづつ剥離していく。それにより、初期よりコーティング剤３の厚みが薄くなり、消臭剤２内の消臭成分量が減少しても、ほぼ同等量の消臭成分を放出することができ、消臭剤の寿命を延長し、初期から寿命までほぼ同等の消臭成分を放出することが可能となる。【選択図】図１
2008245691.tif 000002
【特許請求の範囲】
【請求項１】
基材と消臭剤と有機物のコーティング剤を設け、基材に塗布された消臭剤をコーティング剤で被覆し、コーティング剤を剥離することにより消臭剤より消臭成分を放出するようにした消臭装置。
【請求項２】
コーティング剤の厚みを変化させ、前記コーティング剤の位置により剥離の時間を変化させた、請求項１記載の消臭装置。
【請求項３】
基材にアーチ形状に消臭剤を塗布し、前記消臭剤をコーティング剤で被覆し、アーチの頂点よりコーティング剤を剥離するようにした請求項１記載の消臭装置。
【請求項４】
基材に消臭剤とコーティング剤を交互に複数回塗布した請求項１乃至３のいずれかに記載の消臭装置。
【請求項５】
ブラシにより、表面を強制的に削る請求項４記載の消臭装置。
【請求項６】
コーティング剤に芳香成分を混ぜた請求項１乃至５のいずれかに記載の消臭装置。
【請求項７】
シャッター機構を有する外装ケースの中に配置された請求項１乃至６のいずれかに記載の消臭装置。
【請求項８】
送風ダクト内に配置され、送風により表面を削られ、削られた高さだけ上昇する機構を有する請求項１乃至７のいずれかに記載の消臭装置。
【請求項９】
コーティング剤に光触媒を混合し、光源または太陽光を照射することにより、劣化を促進し剥離時間を短縮する請求項１乃至８のいずれかに記載の消臭装置。
【請求項１０】
シャッター機構の開閉をタイマーで制御する請求項７記載の消臭装置。
【請求項１１】
積層した消臭剤毎に別の芳香成分を混入し、時間経過により異なった香りを出すことのできる請求項４記載の消臭装置。
【請求項１２】
熱源を設け、熱により、コーティング剤の劣化を促進し、消臭剤からの消臭成分の放出を加速する請求項１乃至１１のいずれかに記載の消臭装置。
【請求項１３】
シール型のコーティング剤シートと消臭剤を積層し、任意にシートをはがすことにより消臭成分を長期間維持することのできる消臭装置。
【請求項１４】
タイマーによりコーティング剤シートをはがす請求項１３記載の消臭装置。
【請求項１５】
インジケーター機能を設け、コーティングシート剤をはがす時期をわかりやすくする請求項１３記載の消臭装置。
【発明の詳細な説明】
【技術分野】
【０００１】
本発明は、空間の消臭に使用される徐放型の消臭剤とその消臭装置に関する。
【背景技術】
【０００２】
従来、この種の消臭装置は、消臭剤、離水防止剤、寒天および水を含むゲルを、容器に入れられたものが知られている（例えば、特許文献１参照）。
【０００３】
以下、その消臭装置について図１６を参照しながら説明する。
【０００４】
図に示すように、本体１０１はケース１０２と放出口１０３からなり、消臭ゲル１０４を備える。濃度差により消臭ゲル１０４より放出された消臭剤は放出口１０３より空間に放出される。
【特許文献１】特開平６−２４５９８４号公報
【発明の開示】
【発明が解決しようとする課題】
【０００５】
このような従来の消臭装置では、寿命が短いという課題があり、長期間使用できることが要求されている。
【０００６】
また、使用当初の消臭剤の発生量と商品寿命末期の消臭剤の発生量が大きく異なるという課題があり、常に安定して均一に消臭剤を発生することが要求されている。
【０００７】
本発明は、このような従来の課題を解決するものであり、寿命を延長することができ、また、常に均一な量を発生することのできる消臭装置を提供することを目的としている。
【課題を解決するための手段】
【０００８】
本発明の消臭装置は上記目的を達成するために、ゲル状の消臭剤または液状の消臭剤を基材に含浸したものを、有機物のコーティング剤で覆ったものである。有機物のコーティング剤は時間により酸化劣化し表面より少量ずつ剥離していく、コーティング剤が薄くなることで、内部の消臭剤が揮発しやすくなり。
【０００９】
この手段により消臭剤よりの徐放量を調整することができ、また、消臭剤の寿命を延長することができる消臭装置が得られる。
【００１０】
また他の手段は、コーティング剤の部分毎の厚みを変更することにより、経時毎の消臭剤の徐放量を均一に近づけることができる消臭装置が得られる。
【００１１】
また他の手段は、消臭剤とコーティング剤をアーチ形状することにより、アーチの頂点からコーティング剤が酸化剥離する、消臭剤の濃度勾配の大きい初期は、コーティング剤が厚く、時間が経過しの消臭剤濃度勾配が小さくなった時、コーティング剤が薄く、消臭剤の露出面積が大きくなることにより消臭剤の徐放量を均一に近づけることができる消臭装置が得られる。
【００１２】
また他の手段は、消臭剤とコーティング剤とを交互に塗布することにより、経時毎の消臭剤の徐放量を均一に近づけることができ、寿命を延長することのできる消臭装置が得られる。
【００１３】
また他の手段は、ブラシによりコーティング剤を強制的に削ることにより、計画的な徐放量と寿命を決める事ができる消臭装置が得られる。
【００１４】
また他の手段は、コーティング剤に香料を混ぜることにより、消臭剤の香料の香りと混合し経時毎に異なった香りを発生することのできる消臭装置が得られる。
【００１５】
また他の手段は、シャッター機構を有する外装ケースの中に消臭剤にコーティング剤を塗布したものを入れる事により、シャッターを閉めることにより未使用時の徐放量を減少でき、消臭剤の寿命を延長することができる消臭装置が得られる。
【００１６】
また他の手段は、風路に消臭剤にコーティング剤を塗布したものを入れる事により、空気の流れ、及び空気中の粉塵により表面が削られる、削られた高さだけジャッキにより高さを調整でき、空気との接触面積を確保することにより、消臭剤の徐放量を均一に近づけることができる消臭装置が得られる。
【００１７】
また他の手段は、コーティング剤に光触媒を混ぜ、紫外線を発するライトまたは太陽光に当て強制的にコーティング剤の劣化を促進することにより、消臭剤の寿命を計画的に調整することのできる消臭装置が得られる。
【００１８】
また他の手段は、タイマー装置を有するシャッター機構を有する外装ケースの中に消臭剤にコーティング剤を塗布したものを入れる事により、計画的にシャッターを閉めることにより未使用時の徐放量を調整でき、消臭剤の寿命を計画的に調整することのできる消臭装置が得られる。
【００１９】
また、消臭剤の香料を層により変更することにより、時間が経過することに異なった香りを発生することのできるの消臭装置を得られる。また消臭剤の香料の濃度を、表面より遠いほど高濃度にする事により、濃度勾配が小さくなり徐放量が減少しても、香料の臭気の強度が均一な消臭装置が得られる。
【００２０】
また他の手段は、熱源を設け、温度により強制的にコーティング剤の劣化を促進することにより、消臭剤の寿命を計画的に調整することのできる消臭装置が得られる。
【００２１】
また他の手段は、シール型のコーティング剤シートと消臭剤とを交互に塗布することにより、任意にシートをはがすことができるようにすることにより、感覚的に芳香が弱くなった場合、任意にシートをはがすことができる消臭装置が得られる。
【００２２】
また他の手段は、シール型のコーティング剤シートをタイマー機能付き剥離装置で、時間により自動で剥がすことにより、消臭剤の寿命を計画的に調整することのできる消臭装置が得られる。
【００２３】
また他の手段は、消臭剤に芳香成分が減少すると色が変わる、インジケーター機能を設け、色が変色することにより、シール型のコーティング剤シートを剥がすタイミングを認識することのできる消臭装置が得られる。
【発明の効果】
【００２４】
本発明によれば、長寿命で、長期間使い終わりまで同等の消臭成分量を徐放できるという効果のある消臭装置を提供できる。
【発明を実施するための最良の形態】
【００２５】
本発明の請求項１記載の発明は、基材と消臭剤と有機物のコーティング剤を設け、基材に塗布された消臭剤をコーティング剤で被覆し、コーティング剤を剥離することにより消臭剤より消臭成分を気化、放出するようにしたものであり、長寿命で消臭能力が初期能力から一定、消臭剤の徐放量を均一にするという作用を有する。
【００２６】
また、コーティング剤の厚みを変化させ、位置により剥離の時間を変化させたものであり、経時毎の消臭剤の徐放量を均一に近づけることができる。
【００２７】
また、基材にアーチ形状に消臭剤を塗布し、前記消臭剤をコーティング剤で被覆し、アーチの頂点よりコーティング剤を剥離するようにしたものであり、アーチの頂点からコーティング剤が酸化剥離する、消臭剤の濃度勾配の大きい初期は、コーティング剤が厚く、時間が経過しの消臭剤濃度勾配が小さくなった時、コーティング剤が薄く、消臭剤の露出面積が大きくなることにより消臭剤の徐放量を均一に近づけることができるという作用を有する。
【００２８】
また、基材に消臭剤とコーティング剤を交互に複数回塗布したものであり、経時毎の消臭剤の徐放量を均一に近づけることができ、寿命を延長することのできるという作用を有する。
【００２９】
また、ブラシにより、表面を強制的に削るものであり、計画的な徐放量と寿命を決める事ができるという作用を有する。
【００３０】
また、コーティング剤に芳香成分を混ぜたものであり、消臭剤の香料の香りと混合し経時毎に異なった香りを発生することのできるという作用を有する。
【００３１】
また、シャッター機構を有する外装ケースの中に配置されたものであり、シャッターを閉めることにより未使用時の徐放量を減少でき、消臭剤の寿命を延長することができるという作用を有する。
【００３２】
また、風路に消臭剤にコーティング剤を塗布したものを入れる事により、空気の流れ、及び空気中の粉塵により表面が削られる、削られた高さだけジャッキにより高さを調整でき、空気との接触面積を確保するとしたものであり、消臭剤の徐放量を均一に近づけることができるという作用を有する。
【００３３】
また、コーティング剤に光触媒を混ぜ、紫外線を発するライトまたは太陽光に当て強制的にコーティング剤の劣化を促進するとしたものであり、消臭剤の寿命を計画的に調整することができるという作用を有する。
【００３４】
また、タイマー装置を有するシャッター機構を有する外装ケースの中に消臭剤にコーティング剤を塗布したものを入れる事により、計画的にシャッターを閉めることにより未使用時の徐放量を調整したものであり、消臭剤の寿命を計画的に調整することができるという作用を有する。
【００３５】
また、消臭剤の香料を層により変更するとしたものであり、時間が経過することに異なった香りを発生するという作用を有する。
【００３６】
また、臭剤の香料の濃度を、表面より遠いほど高濃度にするとしたものであり、濃度勾配が小さくなり徐放量が減少しても、香料の臭気の強度が均一にすることができるという作用を有する。
【００３７】
また、熱源を設け、温度により強制的にコーティング剤の劣化を促進するとしたものであり、消臭剤の寿命を計画的に調整するという作用を有する。
【００３８】
また、シール型のコーティング剤シートと消臭剤とを交互に塗布することにより、任意にシートをはがすことができるようにしたものであり、感覚的に芳香が弱くなった場合、任意にシートをはがすことができるという作用を有する。
【００３９】
また、シール型のコーティング剤シートをタイマー機能付き剥離装置で、時間により自動で剥がすことができるとしたもので、消臭剤の寿命を計画的に調整することのできるという作用を有する。
【００４０】
また、消臭剤に芳香成分が減少すると色が変わるインジケーター機能を設けたもので、色が変色することにより、シール型のコーティング剤シートを剥がすタイミングを認識することのできるという作用を有する。
【００４１】
以下、本発明の実施の形態について図面を参照しながら説明する。
【００４２】
（実施の形態１）
図１示すように、基材１と消臭剤２とコーティング剤３からなる。前記基材１に含浸または塗布された前記消臭剤２の全体を覆うように有機物のコーティング剤３を塗布する。
【００４３】
上記構成において、フィトンチッドなどの消臭剤２より徐放された植物精油などの消臭成分は、コーティング剤の網目構造の間よりじょじょに放出される。またコーティング剤は椰子油などの有機物なので、空気と接触することにより徐々に酸化劣化をおこし、表面よりすこしづつ剥離していく。それにより、初期よりコーティング剤３の厚みが薄くなり、消臭剤２内の消臭成分量が減少しても、ほぼ同等量の消臭成分を気化、放出することができ、消臭剤の寿命を延長し、初期から寿命までほぼ同等の消臭成分を放出することが可能となる。
【００４４】
（実施の形態２）
実施の形態１と同一部分は同一符号を付し詳細な説明は省略する。図２に示すように、消臭剤２とコーティング剤３の厚みを場所により変える。
【００４５】
上記構成において、コーティン剤３の厚みのばらつきにより、コーティン剤３の厚みが薄いところからは消臭成分が多く放出され、コーティン剤３の厚みが厚いところからは消臭成分が少なく放出され、消臭剤２よりの消臭成分のコーティン剤３の位置、場所の発生量が変わる。消臭成分の放出による時間経過とともに、コーティン剤３の厚みが薄い位置、部分からの消臭成分の放出が減少し、コーティン剤３が酸化劣化し、少しづつ剥離することにより、逆に、コーティン剤３の厚みが厚い位置、部分からの消臭成分の放出が増加し、長寿命化と時間経過による消臭成分の発生量を均一に保つことが可能となる。なお、消臭剤２の厚みは均一でコーティング剤３の厚みのみ場所により変えてもよい。
【００４６】
（実施の形態３）
実施の形態１または２と同一部分は同一符号を付し詳細な説明は省略する。図３に示すように、消臭剤２とコーティング剤３をアーチ形状とする。
【００４７】
上記構成において、アーチの頂点よりコーティング剤３が劣化により剥離する、消臭剤の濃度勾配の大きい初期は、コーティング剤３が厚く、時間が経過しの消臭剤濃度勾配が小さくなった時、コーティング剤３が薄く、消臭剤２の露出面積が大きくなることにより消臭剤の徐放量を均一に近づけることができる。
【００４８】
（実施の形態４）
実施の形態１乃至３と同一部分は同一符号を付し詳細な説明は省略する。図４に示すように、基材１に消臭剤２とコーティング剤３を交互に複数回塗布する。
【００４９】
上記構成において、消臭剤２の消臭剤２層とコーティング剤３層を交互に積層することで、消臭剤２層とコーティング剤３層が分離し、消臭剤内での消臭成分の消臭剤２層間の移動が無く、経時毎の消臭剤の徐放量を均一に近づけることができ、寿命を延長することのできる。
【００５０】
（実施の形態５）
実施の形態１乃至４と同一部分は同一符号を付し詳細な説明は省略する。図５に示すように、ブラシ４とブラシ駆動部５を設け、前記ブラシ駆動部５の移動により、ブラシ４でコーティング剤３の表面を強制的に削る。
【００５１】
上記構成において計画的な徐放量と寿命を決める事ができる。
【００５２】
（実施の形態６）
実施の形態１乃至５と同一部分は同一符号を付し詳細な説明は省略する。図６に示すように、基材１と消臭剤２と芳香成分入りコーティング剤６からなる。前記基材１に含浸または塗布された前記消臭剤２の全体を覆うように芳香成分入りコーティング剤６を塗布する。
【００５３】
上記構成において、芳香成分入りコーティング剤６の芳香成分と、消臭剤の香料の芳香成分が混合し経時毎に異なった香りを発生することのできる。
【００５４】
（実施の形態７）
実施の形態１乃至６と同一部分は同一符号を付し詳細な説明は省略する。図７に示すように、シャッター機構７を有する外装ケース８を設ける。
【００５５】
上記構成において、シャッター機構７を閉めることにより未使用時の芳香成分の徐放量を減少でき、消臭剤の寿命を延長することができるという作用を有する。
【００５６】
（実施の形態８）
実施の形態１乃至７と同一部分は同一符号を付し詳細な説明は省略する。図８に示すように、風路９に本体１０を入れ、ジャッキ１１により前記本体の高さを調整する。
【００５７】
上記構成において、空気の流れ、及び空気中の粉塵により本体１０の表面が削られる、削られた高さだけ、例えばジャッキ１１により高さを調整でき、本体１０と空気との接触面積を確保するとしたものであり、消臭成分の徐放量を均一に近づけることができるという作用を有する。
【００５８】
（実施の形態９）
実施の形態１乃至８と同一部分は同一符号を付し詳細な説明は省略する。図９に示すように、基材１と消臭剤２と光触媒入りコーティング剤１２からなる。前記基材１に含浸または塗布された前記消臭剤２の全体を覆うように光触媒入りコーティング剤１２を塗布する。
【００５９】
上記構成において、紫外線を発する水銀ランプなどの光源または太陽光に当て強制的にコーティング剤の劣化を促進するとしたものであり、消臭剤の寿命を計画的に調整することができる。
【００６０】
（実施の形態１０）
実施の形態１乃至９と同一部分は同一符号を付し詳細な説明は省略する。
【００６１】
図１０に示すようにタイマー装置１３を有するシャッター機構７を有する外装ケース８の中に本体１０を入れる。
【００６２】
上記構成において、計画的にシャッターを閉めることにより未使用時の徐放量を調整したものであり、消臭剤の寿命を計画的に調整することができる。
【００６３】
（実施の形態１１）
実施の形態１乃至１０と同一部分は同一符号を付し詳細な説明は省略する。図１１に示すように消臭剤２の香料の濃度を、表面より遠い層ほど高濃度にした。
【００６４】
上記構成において、濃度勾配が小さくなり徐放量が減少しても、香料の臭気の強度が均一にすることができ、感応的には変化を感じさせない。なお、消臭剤２の層毎に異なった香料を混ぜることにより、時間が経過することに異なった香りを発生することができる。
【００６５】
（実施の形態１２）
実施の形態１乃至１１と同一部分は同一符号を付し詳細な説明は省略する。図１２に示すように熱源１４を設け、計画的に本体１０に熱を照射する。
【００６６】
上記構成において、温度により強制的にコーティング剤の劣化を促進するとしたものであり、消臭剤の寿命を計画的に調整できる。
【００６７】
（実施の形態１３）
実施の形態１乃至１２と同一部分は同一符号を付し詳細な説明は省略する。図１３に示すように、シール型コーティング剤シート１５と消臭剤２とを交互に塗布する構造。
【００６８】
上記構成において、任意にシール型のコーティング剤をコーティングしたコーティング剤シート１５をはがすことができるようにしたものであり、感覚的に芳香が弱くなった場合、任意にシール型コーティング剤シート１５をはがすことができる。シール型コーティング剤シート１５は、例えば、椰子油などのコーティング剤をシートの片面に担持し、他面に接着剤を塗布したものである。
【００６９】
（実施の形態１４）
実施の形態１乃至１３と同一部分は同一符号を付し詳細な説明は省略する。図１４に示すように、シール型コーティング剤シート１５をタイマー機能付き剥離装置１６で時間により自動で剥がすことができる構造である。タイマー機能付き剥離装置１６は、例えば、タイマーによりローラを動作させ、ローラで引っ張り剥離させるものである。
【００７０】
上記構成において、消臭剤の寿命を計画的に調整することのできる。
【００７１】
（実施の形態１５）
実施の形態１乃至１４と同一部分は同一符号を付し詳細な説明は省略する。図１５に示すように、シール型コーティング剤シート１５と芳香成分が減少すると色が変わるインジケーター機能付き消臭剤１７とを交互に塗布する構造である。
【００７２】
上記構成において、インジケーター機能付き消臭剤１７の色が変色することにより、シール型のコーティング剤シートを剥がすタイミングを認識することができ、任意にシール型コーティング剤シート１５の剥がす時期を、わかりやすくしたものである。芳香成分が減少すると色が変わるインジケーターは、例えば、クレゾールに赤い色などの着色剤を混入したものを、芳香剤に混ぜたものなどがある。植物精油などの消臭成分とともに、クレゾールも気化し、クレゾールの気化とともに、赤い色などの着色剤も気化し、赤い色などの着色が消えて、例えば、赤から白色に変化し、コーティング剤シートを剥がすタイミングが分かり易く、分かることとなる。
【産業上の利用可能性】
【００７３】
有機物のコーティング剤で消臭剤を覆うことにより、消臭効果を均一に長期間保つことができ、家庭用、業務用、産業用などの消臭、アロマテラピーなどの用途にも適用できる。
【図面の簡単な説明】
【００７４】
【図１】本発明の実施例１の概略構成図
【図２】本発明の実施例２の概略構成図
【図３】本発明の実施例３の概略構成図
【図４】本発明の実施例４の概略構成図
【図５】本発明の実施例５の概略構成図
【図６】本発明の実施例６の概略構成図
【図７】本発明の実施例７の概略構成図
【図８】本発明の実施例８の概略構成図
【図９】本発明の実施例９の概略構成図
【図１０】本発明の実施例１０の概略構成図
【図１１】本発明の実施例１１の概略構成図
【図１２】本発明の実施例１２の概略構成図
【図１３】本発明の実施例１３の概略構成図
【図１４】本発明の実施例１４の概略構成図
【図１５】本発明の実施例１５の概略構成図
【図１６】従来技術の概略構成図
【符号の説明】
【００７５】
１      基材
２      消臭剤
３      コーティング剤
４      ブラシ
５      ブラシ駆動部
６      芳香成分入りコーティング剤
７      シャッター機構
８      外装ケース
９      風路
１０    本体
１１    ジャッキ
１２    光触媒入りコーティング剤
１３    タイマー装置
１４    熱源
１５    シール型コーティング剤シート
１６    タイマー機能付き剥離装置
１７    インジケーター機能付き消臭剤
１０１  本体
１０２  ケース
１０３  放出口
１０４  消臭ゲル
【図１】
2008245691.tif 000003
【図２】
2008245691.tif 000004
【図３】
2008245691.tif 000005
【図４】
2008245691.tif 000006
【図５】
2008245691.tif 000007
【図６】
2008245691.tif 000008
【図７】
2008245691.tif 000009
【図８】
2008245691.tif 000010
【図９】
2008245691.tif 000011
【図１０】
2008245691.tif 000012
【図１１】
2008245691.tif 000013
【図１２】
2008245691.tif 000014
【図１３】
2008245691.tif 000015
【図１４】
2008245691.tif 000016
【図１５】
2008245691.tif 000017
【図１６】
2008245691.tif 000018